(57)【要約】無線ネットワーク内のプッシュツートークコントローラは、プレゼンスサーバ及びプッシュツートークサーバを含む。プッシュツートークコントローラは、勧誘移動端末と、その勧誘移動端末からのプッシュツートーク要求に応じるローカル移動端末との間でローカルな特定グループセッションを確立する。プレゼンスサーバは、勧誘移動端末のローカルエリア内に存在するローカル移動端末を特定する。次いで、プシュツートークサーバは、勧誘移動端末と、そのローカルエリア内に存在する１台又はそれ以上のローカル移動端末との間でグループセッションを確立する。本発明の実施形態によれば、プッシュツートークサーバは、プレゼンスサーバで特定された各ローカル移動端末に勧誘メッセージを送信する。さらに、プッシュトークサーバは、勧誘移動端末と、勧誘メッセージに応じた１台もしくはそれ以上のローカル移動端末との間でローカルな特定グループセッションを確立する。
2007523561.tif 000002
【特許請求の範囲】
【請求項１】
勧誘移動端末（２２）とローカル移動端末（２２）との間でローカルな特定グループセッションを確立するための無線ネットワーク（５）におけるプッシュツートークコントローラ（９０）であって、
前記勧誘移動端末（２２）のローカルエリア（２０）内の前記ローカル移動端末（２２）を特定するためのプレゼンスサーバ（９６）と、
前記勧誘移動端末と、該勧誘移動端末（２２）からの要求に応じる１台又はそれ以上のローカル移動端末（２２）との間で、前記ローカルな特定グループセッションを確立するためのプッシュツートークサーバ（９８）と
を含むことを特徴とするプッシュツートークコントローラ（９０）。
【請求項２】
前記プッシュツートークサーバ（９８）は、
前記プレゼンスサーバ（９６）によって特定されたローカル移動端末（２２）に勧誘メッセージを送信し、
前記勧誘移動端末（２２）と、前記勧誘メッセージに応じた１台又はそれ以上のローカル移動端末（２２）との間で、前記ローカルな特定グループセッションを確立する
ことを特徴とする請求項１に記載のプッシュツートークコントローラ（９０）。
【請求項３】
前記勧誘移動端末（２２）からの前記要求を受信し、前記プレゼンスサーバ（９６）によって特定された前記ローカル移動端末（２２）のリストを前記プッシュツートークサーバ（９８）に転送するコアサーバ（９２）を
さらに含むことを特徴とする請求項１に記載のプッシュツートークコントローラ（９０）。
【請求項４】
所望のローカル移動端末（２２）を特定するために、メディアタイプ制限及びアクセス制御制限の少なくとも１つに基づき、前記プレゼンスサーバ（９６）によって特定された前記ローカル移動端末（２２）のリストを絞り込むグループサーバ（９４）を
さらに含むことを特徴とする請求項１に記載のプッシュツートークコントローラ（９０）。
【請求項５】
前記プッシュツートークサーバ（９８）は、
各所望のローカル移動端末（２２）に勧誘メッセージを送信し、
前記勧誘移動端末（２２）と、前記勧誘メッセージに応じる１台又はそれ以上の前記所望のローカル移動端末（２２）との間で、前記ローカルな特定グループセッションを確立する
ことを特徴とする請求項４に記載のプッシュツートークコントローラ（９０）。
【請求項６】
前記グループサーバ（９４）は、
前記勧誘移動端末（２２）によって定義された興味のあるテーマに基づいて前記ローカル移動端末（２２）をさらに絞り込む
ことを特徴とする請求項４に記載のプッシュツートークコントローラ（９０）。
【請求項７】
前記プレゼンスサーバ（９６）は、
前記勧誘移動端末（２２）の現在の位置を決定する
ことを特徴とする請求項１に記載のプッシュツートークコントローラ（９０）。
【請求項８】
前記プレゼンスサーバ（９６）は、
前記勧誘移動端末における前記現在の位置に基づいて、前記ローカルエリア（２０）を定義する
ことを特徴とする請求項７に記載のプッシュツートークコントローラ（９０）。
【請求項９】
前記プレゼンスサーバ（９６）は、
前記勧誘移動端末（２２）から定義されたローカルエリア（２０）を受信する
ことを特徴とする請求項１に記載のプッシュツートークコントローラ（９０）。
【請求項１０】
前記プレゼンスサーバ（９６）は、
前記勧誘移動端末（２２）と同じセルの少なくとも一部分にローカル移動端末（２２）を特定することによって、該勧誘移動端末（２２）の前記ローカルエリア（２０）内で該ローカル移動端末（２２）を特定する
ことを特徴とする請求項１に記載のプッシュツートークコントローラ（９０）。
【請求項１１】
前記プレゼンスサーバ（９６）は、
前記勧誘移動端末（２２）の所定の距離内でローカル移動端末（２２）を特定することによって、該勧誘移動端末（２２）の前記ローカルエリア（２０）内で該ローカル移動端末（２２）を特定する
ことを特徴とする請求項１に記載のプッシュツートークコントローラ（９０）。
【請求項１２】
動的にグループを記憶し、前記勧誘移動端末（２２）の前記ローカルエリア（２０）内で更新されたローカル移動端末（２２）のリストを動的に記憶するメモリ（９７）を
さらに含むことを特徴とする請求項１に記載のプッシュツートークコントローラ（９０）。
【請求項１３】
勧誘移動端末（２２）とローカル移動端末（２２）との間で、無線ネットワーク（５）におけるローカルな特定グループセッションを確立するための方法であって、
前記勧誘移動端末（２２）から前記ローカルな特定グループセッションを開始するための要求を受信するステップと、
前記勧誘移動端末（２２）のローカルエリア（２０）内で、ローカル移動端末（２２）を特定するステップと、
前記勧誘移動端末（２２）と１台又はそれ以上の前記ローカル移動端末（２２）との間で、前記ローカルな特定グループセッションを特定するステップと
を含むことを特徴とする方法。
【請求項１４】
前記ローカルな特定グループセッションを確立するステップは、
前記勧誘移動端末（２２）の前記ローカルエリア（２０）内で、前記ローカル移動端末（２２）に勧誘メッセージを送信するステップと、
前記勧誘移動端末（２２）と、前記勧誘メッセージに応じる１台又はそれ以上の前記ローカル移動端末（２２）との間で、前記ローカルな特定グループセッションを確立するステップを
含むことを特徴とする請求項１３に記載の方法。
【請求項１５】
メディアタイプ制限及びアクセス制御制限の少なくとも１つに基づいて、前記勧誘移動端末（２２）の前記ローカルエリア（２０）内でローカル移動端末（２２）のリストを絞り込むことによって、所望のローカル移動端末（２２）を特定するステップを
さらに含むことを特徴とする請求項１３に記載の方法。
【請求項１６】
前記ローカルな特定グループセッションを確立するステップは、
１台又はそれ以上の所望のローカル移動端末（２２）に勧誘メッセージを送信するステップと、
前記勧誘移動端末（２２）と前記勧誘メッセージに応じる所望のローカル移動端末（２２）との間で、ローカルな特定グループセッションを確立するステップと
を含むことを特徴とする請求項１５に記載の方法。
【請求項１７】
前記所望のローカル移動端末（２２）を特定するステップは、
前記勧誘移動端末（２２）によって定義された興味のあるテーマに基づき、該勧誘移動端末（２２）の前記ローカルエリア（２０）内でローカル移動端末（２２）のリストを絞り込むステップを
含むことを特徴とする請求項１５に記載の方法。
【請求項１８】
前記勧誘移動端末（２２）のローカルエリア（２０）内でローカル移動端末（２２）を特定するステップは、
前記勧誘移動端末（２２）を含む少なくとも一部の基地局のセルにおける範囲内に位置するローカル移動端末（２２）を特定するステップを
含むことを特徴とする請求項１３に記載の方法。
【請求項１９】
前記勧誘移動端末（２２）のローカルエリア（２０）内でローカル移動端末（２２）を特定するステップは、
前記勧誘移動端末（２２）の所定の距離内に位置するローカル移動端末（２２）を特定するステップを
含むことを特徴とする請求項１３に記載の方法。
【請求項２０】
前記勧誘移動端末（２２）の１つ又はそれ以上のローカルエリア（２０）内に位置するローカル移動端末（２２）のグループを記憶及び動的に更新するステップを
さらに含むことを特徴とする請求項１３に記載の方法。
【請求項２１】
無線ネットワーク（５）における移動端末（２２）であって、
前記無線ネットワーク（５）に信号を送信及び受信するための送受信機（３２）と、
前記勧誘移動端末（２２）と、ユーザの入力に応じて該勧誘移動端末（２２）のローカルエリア（２０）内で１台又はそれ以上のローカル移動端末（２２）との間で、ローカルな特定グループセッションを開始するためのプッシュツートークプロセッサ（５２）と
を含むことを特徴とする移動端末（２２）。
【請求項２２】
表示装置（４２）と、
前記表示装置（４２）に表示されるメニューシステムとをさらに含み、
ユーザによってメニューからローカル特定グループのオプションが選択されることにより、前記ローカルな特定グループセッションが要求されることを特徴とする請求項２１に記載の移動端末（２２）。
【請求項２３】
前記メニューシステムは、
興味のあるテーマを選択するための前記ローカル特定グループのオプションに関連するサブメニューを
含むことを特徴とする請求項２１に記載の移動端末（２２）。
【請求項２４】
前記ローカルエリア（２０）を定義するための前記ローカル特定グループのオプションに観点するサブメニューを含むことを特徴とする請求項２１に記載の移動端末（２２）。
【請求項２５】
前記ユーザによって前記ローカルな特定グループセッションを要求するための前記移動端末（２２）の筐体（４６）の外部に配置されたマルチ方向制御ボタン（５８）をさらに含むことを特徴とする請求項２１に記載の移動端末（２２）。
【請求項２６】
前記勧誘移動端末（２２）の現状の位置情報を決定するためのロケーションプロセッサをさらに含むことを特徴とする請求項２１に記載の移動端末（２２）。
【請求項２７】
前記ロケーションプロセッサ（３７）は、
前記勧誘移動端末（２２）の現状の位置に基づいて前記ローカルエリア（２０）を定義する
ことを特徴とする請求項２６に記載の移動端末（２２）。
【請求項２８】
勧誘移動端末（２２）でローカルな特定グループセッションを開始する方法であって、
前記勧誘移動端末（２２）のユーザによってローカルな特定グループセッションを開始するステップと、
前記勧誘移動端末（２２）と、前記ユーザの指示に応じて該勧誘移動端末（２２）のローカルエリア（２０）内で１台又はそれ以上のローカル移動端末（２２）との間で、ローカルな特定グループセッションを確立するためにナットワークのプッシュツートーク制御装置（９０）に要求を送信するステップと
を含むことを特徴とする方法。
【請求項２９】
前記勧誘移動端末（２２）の前記ユーザによって前記ローカルな特定グループセッションを開始するステップは、
前記勧誘移動端末（２２）に関連するメニューからローカル特定グループのオプションを選択するステップを
含むことを特徴とする請求項２８に記載の方法。
【請求項３０】
前記勧誘移動端末（２２）の前記ユーザによって前記ローカルな特定グループセッションを開始するステップは、
前記勧誘移動端末（２２）の筐体（４６）の外部に配置されたマルチ方向制御ボタン（５８）を作動させるステップを
含むことを特徴とする請求項２８に記載の方法。
【請求項３１】
前記勧誘移動端末（２２）の前記ユーザによって前記ローカルな特定グループセッションを開始するステップは、
前記勧誘移動端末（２２）にプッシュツートークの音声命令を供給するステップを
含むことを特徴とする請求項２８に記載の方法。
【請求項３２】
興味のあるテーマを選択するステップと、
前記勧誘移動端末（２２）と前記興味のあるテーマに基づく１台又はそれ以上のローカル移動端末（２２）との間で、前記ローカルな特定グループセッションを開始するステップと
さらに含むことを特徴とする請求項２８に記載の方法。
【請求項３３】
前記勧誘移動端末（２２）の前記ローカルエリア（２０）を定義するステップをさらに含むことを特徴とする請求項２８に記載の方法。
【請求項３４】
前記勧誘移動端末（２２）の前記ローカルエリア（２０）を定義するステップは、
前記勧誘移動端末（２２）に含まれる少なくとも一部の基地局におけるセル内のエリアとして、前記ローカルエリア（２０）を定義するステップを
含むことを特徴とする請求項３３に記載の方法。
【請求項３５】
前記勧誘移動端末（２２）の前記ローカルエリア（２０）を定義するステップは、
前記勧誘移動端末（２２）から所定の距離で前記ローカルエリア（２０）を定義するステップを
含むことを特徴とする請求項３３に記載の方法。
【請求項３６】
前記勧誘移動端末（２２）の前記ローカルエリア（２０）を定義するステップは、
ユーザの入力に基づいて前記ローカルエリア（２０）を定義するステップを
含むことを特徴とする請求項３３に記載の方法。
【発明の詳細な説明】
【技術分野】
【０００１】
本発明は、移動端末間のプッシュツートーク（ＰＴＴ）通信に関する。特に、本発明は、勧誘移動端末のローカルエリア内に存在するローカル移動端末とのＰＴＴ通信に関する。
【背景技術】
【０００２】
セルラー電話、ＰＤＡ（携帯情報端末）など、複数の移動端末のグループ間におけるＰＴＴ通信の利用が無線通信利用者においてますます増加している。現在、これら移動端末のＰＴＴ通信は、２つの異なるタイプのグループセッションをサポートしている。ここで、２つの異なるタイプとは、インスタントグループセッションとチャットグループセッションである。
【０００３】
インスタントグループセッションは、勧誘移動端末のユーザが予め定義されたグループの複数の移動端末とのグループセッションを確立することを可能にする。例えば、１人のユーザが、無線ネットワークに存在する１台のＰＴＴコントローラのメモリに、予め各ユーザグループの移動端末リストを選択、保存することにより、１人又はそれ以上のユーザグループと接続できる。予め定義された各ユーザグループは、関連付けられたグループＩＤを有する。インスタントグループセッションを確立するために、勧誘移動端末は、予め定義されたユーザグループを選択し、ＰＴＴコントローラがその選択されたユーザグループとのグループセッションを確立するよう要求する。これに応じて、ＰＴＴコントローラは、関連付けられたグループＩＤを用いてメモリから選択されたユーザグループを読み出す。その後、ＰＴＴコントローラは、アクセス要求を確認し、アクセス要求を充たす選択されたユーザグループによって特定された各移動端末に勧誘メッセージを送信する。次いで、そのＰＴＴコントローラは、勧誘移動端末と勧誘を受け入れる被勧誘移動端末との間でグループセッションを確立する。
【０００４】
また、インスタントグループセッションは、勧誘移動端末のユーザが手動で選択した移動端末の特定グループとグループチャットを確立することも可能である。勧誘移動端末は、ＰＴＴコントローラに対し、特定グループを指定し、選択された移動端末との間でグループセッションを確立するように要求する。これに応じて、ＰＴＴコントローラは、アクセス要求を満足する特定要求に指定される各移動端末に対して、勧誘メッセージを送信する。次いで、ＰＴＴコントローラは、勧誘移動端末とその勧誘を受け付ける被勧誘移動端末との間でグループセッションを確立する。
【０００５】
代替方法として、チャットグループセッションは、勧誘移動端末のユーザが特定の興味のテーマに焦点をあてたグループチャットに参加することを可能にする方法がある。このタイプのグループセッションでは、ＰＴＴコントローラは勧誘メッセージを送信しない。その代わり、ＰＴＴコントローラは、他の移動端末が任意にそのグループセッションに参加したり退いたりできるような、興味のテーマに基づいたグループセッションを確立する。そのようなグループチャットは、開（オープン）グループ又は閉（クローズド）グループに基づく仕組みを有する。確立されたグループセッションが開グループを利用するとき、ＰＴＴ機能を有するいずれの移動端末もそのグループに参加できる。確立されたグループセッションが閉グループを利用するとき、閉グループに関連する移動端末だけがそのグループセッションに参加できる。
【発明の開示】
【発明が解決しようとする課題】
【０００６】
従来のＰＴＴシステムは、全ての場合、勧誘するユーザに既知である予め定義された他のＰｏＣ（セルラーネットワークで実行されるＰＴＴ）ユーザのグループ及び定義された興味のテーマの少なくとも一方を基にグループセッションを確立する。しかしながら、現在のＰＴＴシステムは、勧誘移動端末の位置に対して相対的な他の移動端末の地理的位置を基にしたグループセッションを確立する機能を備えていない。
【課題を解決するための手段】
【０００７】
本発明は、勧誘移動端末とその勧誘移動端末近傍にあるローカル移動端末との間でローカルな特定グループセッションを確立する方法及び装置を含む。本発明の実施形態によれば、勧誘移動端末は、自身とそのローカルエリア内にある１台又はそれ以上のローカル移動端末との間でローカルな特定グループセッションを開始するため、プッシュツートーク（ＰＴＴ）入力を作動させる。次いで、勧誘移動端末は、ローカルな特定グループセッションを確立するため、ネットワークのＰＴＴコントローラに要求を送信する。ＰＴＴコントローラは、プレゼンス（存在特定）サーバとＰＴＴサーバとを含む。プレゼンスサーバは、勧誘移動端末のローカルエリア内に存在するローカル移動端末を特定する。勧誘移動端末からのＰＴＴ要求の受信に応答し、ＰＴＴサーバは、勧誘移動端末とそのローカルエリア内の１台又はそれ以上のローカル移動端末との間でグループセッションを確立する。
【０００８】
本発明の実施形態によれば、ＰＴＴサーバは、プレゼンスサーバで特定されたローカル移動端末に勧誘メッセージを送信することで、ローカルな特定グループセッションを確立する。ローカルな特定グループセッションは、勧誘移動端末と勧誘メッセージを受け入れる１台又はそれ以上のローカル移動端末との間で確立される。
【０００９】
また、他の実施形態によれば、ＰＴＴコントローラは、コアサーバ及びグループサーバの少なくとも一方を含む。グループサーバは、プレゼンスサーバによって特定されたローカル移動端末のリストの中から、例えば、アクセスオプションに基づいて、相対的に望ましいローカル移動端末を選び出す。コアサーバは、勧誘移動端末からの要求を受信し、プレゼンスサーバで特定されたローカル移動端末のリストをＰＴＴサーバに転送する。
【発明を実施するための最良の形態】
【００１０】
図１は、本発明による無線通信ネットワーク５を示す図である。無線通信ネットワーク５は、制限なしに含まれる様々な通信規格の１つを実装しうる。通信規格は、広域移動通信システム（ＧＳＭ）、汎用パケット無線サービス（ＧＰＲＳ）、ユニバーサル移動電話システム（ＵＭＴＳ）、ＴＩＡ／ＥＩＡ―１３６、ｃｄｍａＯｎｅ（ＩＳ−９５Ｂ）、ｃｄｍａ２０００、広帯域ＣＤＭＡ（Ｗ−ＣＤＭＡ）などとして知られた標準規格を含む。新しい規格が将来策定され得るため、ここで特定の規格を列挙して限定することは意図しない。本発明は、以下にＧＰＲＳネットワークとの関連で説明する。当業者には、様々な規格が異なるネットワークアーキテクチャを用いたり、或いは機能的に等価な要素を記述するのに異なった用語を用いたりすることは理解されるであろう。
【００１１】
無線通信ネットワーク５は、無線アクセスネットワーク（ＲＡＮ）１０、コアネットワーク７０、パケットデータネットワーク（ＰＤＮ）８４、及び複数の移動端末２２を含む。コアネットワーク７０は、在圏ＧＰＲＳサポートノード（ＳＧＳＮ）７２、関門ＧＰＲＳサポートノード（ＧＧＳＮ）７４、装置ＩＤレジスタ（ＥＩＲ）７６、移動通信交換局／在圏ロケーションレジスタ（ＭＳＣ／ＶＬＲ）７８、ロケーションレジスタ（ＬＲ）８０、ホームロケーションレジスタ（ＨＬＲ）８２を含む。ＳＧＳＮ７２は、コアネットワーク７０と外部のＰＤＮ８４との間のゲートウエイとして存在するＧＧＳＮ７４を介し、ＲＡＮ１０とＰＤＮ８４との間のパケットデータのストリームを転送制御する。ＥＩＲ７６は、無線通信ネットワーク５に現在、存在する移動端末２２に関する機器データを保存し、通常、セキュリティ目的で使用される。ＭＳＣ／ＶＬＲ７８は、ＧＰＲＳシステムのＳＧＳＮ７２とＧＳＭシステムのＭＳＣとの間で効率的な連携を可能にする。ＨＬＲ８２は、ユーザ情報、パケットデータプロトコルアドレス、ＳＧＳＮアドレス及びそのホームネットワークが現在のコアネットワーク７０である各移動端末の現在の位置情報を保存する。ＬＲ８０は、ユーザ情報と、そのホームネットワークが現在のコアネットワーク７０とは異なるコアネットワークである各移動端末２２の現在の位置情報を保存する。ＧＰＲＳネットワークの動作に関するさらに詳細な説明は本発明に関係しない。したがって、ここではこれ以上記載しない。しかしながら、関心のある読者は、ＩＥＥＥ  Ｃｏｍｍｕｎｉｃａｔｉｏｎ  Ｓｕｒｖｅｙｓ誌、１９９９年第３期、Ｖｏｌ．２  Ｎｏ．３、「ＧＰＲＳフェーズ２＋一般的ＧＰＲＳパケットサービス：アーキテクチャ、プロトコル及び無線インターフェイス）」を読まれるとよい。
【００１２】
コアネットワーク７０は、ＲＡＮ１０を介して１台又はそれ以上の移動端末２２と通信を行う。ＲＡＮ１０は、１台又はそれ以上の無線基地局（ＢＴＳ）１４と通信を行う１台又はそれ以上の基地局制御装置（ＢＳＣ）１２を含む。各ＢＳＣ１２は、ＢＳＣ１２と通信を行う複数のＢＴＳ１４の管理を実行する。各ＢＴＳ１４は、ＢＴＳアンテナ１６を介してＢＴＳ１４の地理的セルにおける領域内に存在する各移動端末２２と通信を行う。
【００１３】
移動端末２２は、ＢＴＳ１４、ＢＳＣ１２、ＳＧＳＮ７２及びＧＧＳＮ７４を介してＰＤＮ８４内のＰＴＴコントローラ９０と通信を行う。さらに下記に述べるように、ＰＤＮ８４内のＰＴＴコントローラ９０は、勧誘移動端末２２のユーザに選択されたＰＴＴオプションを基に、２台もしくはそれ以上の移動端末２２との間でグループセッションを確立する。他の複数のＢＳ２６（不図示）と通信を行ういずれの移動端末と同様に、図１のいずれの移動端末２２でも勧誘移動端末２２として機能することが理解されるであろう。
【００１４】
図２は、本発明によるＰＴＴ機能を有する移動端末２２の一例を示す図である。移動端末２２は、入出力回路３０、送受信機３２、メモリ３４、マイクロプロセッサ３６、オーディオ処理回路３８及びユーザインタフェース４０を含む。入出力回路３０は、よく知られているインターフェイスプロトコルに従って、送受信機３２、メモリ３４、マイクロプロセッサ３６、オーディオ処理回路３８及びユーザインタフェース４０と接続される。
【００１５】
送受信機３２は、ＢＴＳ１４との間で信号を送受信する必要十分な機能を有するセルラー無線方式のトランシーバである。当業者には、送受信機３２が上述したようなよく知られた規格に従って動作することが理解されるであろう。メモリ３４は、移動端末２２の全階層の記憶装置を表し、ランダムアクセスメモリ（ＲＡＭ）とリードオンリーメモリ（ＲＯＭ）とを含む。操作に必要なデータ及びコンピュータのプログラム命令は、ＥＰＲＯＭ、ＥＥＰＲＯＭ及びフラッシュメモリの少なくとも１つのような不揮発性メモリに保存される。また、不揮発性メモリは、個別部品、積層部品として実装されるか、或いはマイクロプロセッサ３６と一緒に組み込まれるようにしてもよい。
【００１６】
マイクロプロセッサ３６は、メモリ３４に保存されたプログラムに従って移動端末２２の動作を制御し、さらに、マイクロプロセッサ３６に組み込まれたロケーションプロセッサ３７の動作を制御する。ロケーションプロセッサ３７は、移動端末２２の位置を決定し、広域測位システム（ＧＰＳ）のようなよく知られた測位システムを備えてもよい。さらに、ロケーションプロセッサ３７は、移動端末２２の位置を基準としてローカルエリア２０を定める。１以上のローカルエリア２０が勧誘移動端末２２のために定義される。その定義されたローカルエリアは、メモリ３４に保存された標準的なローカルエリアの定義又はユーザの入力に基づく。ここで用いたように、「ローカルエリア」という用語は、勧誘移動端末２２の周囲であって、定義された距離の範囲内にある地理的な領域を表す。例えば、ローカルエリア２０は、図１に示すように、現在、勧誘移動端末２２と通信しているＢＴＳセルの全て又はその一部として定義される。また、ローカルエリア２０は、いくつかの隣接するＢＴＳセルの一部を含むようにしてもよい。さらに、ローカルエリア２０は、勧誘移動端末２２を中心に定められた半径で描かれる円として定義されてもよい。
【００１７】
マイクロプロセッサ３６は、以下に記載するように、ユーザ設定オプションに従ってＰＴＴセッションを開始するＰＴＴプロセッサ５２をさらに含む。ロケーションプロセッサ３７とＰＴＴプロセッサ５２とがマイクロプロセッサ３６の一部として示されているが、ロケーションプロセッサ３７及びＰＴＴプロセッサ５２の少なくとも一方は、移動端末２２内の別々の部品であってもよいことは理解されるであろう。いずれにしても、マイクロプロセッサ３６は、単一のマイクロプロセッサ又は複数のマイクロプロセッサを含む。適当なマイクロプロセッサには、例えば、汎用用途及び特定用途のマイクロプロセッサと、デジタル信号プロセッサとがある。
【００１８】
ユーザインタフェース４０は、ユーザが移動端末２２と情報を交換することを可能にし、表示装置４２、マイクロフォン４４、スピーカ４６及び入力デバイス５０を含む。液晶ディスプレイのような表示装置４２は、操作者がダイアル番号、画像、呼の状況、メニューオプション及び他のサービス情報を見ることを可能にする。マイクロフォン４４は、オーディオ処理回路３８で処理するために、音声を電気的なオーディオ信号に変換する。スピーカ４６は、オーディオ処理回路３８から出力されるオーディオ信号を移動端末２２から出力される可聴音に変換する。入力デバイス５０は、ユーザがデータ入力、コマンド入力及びオプションの選択を行うことを可能にする。入力デバイス５０は、キーパッド５４、タッチパッド、ジョイスティック５６、ポインティングデバイス、スイッチ類、プッシュボタン５８又は他の形態のコンピュータ入力デバイスを備える。移動端末２２は、同じ或いは異なる機能を実行する２つ又はそれ以上の入力デバイスを使用してもよい。
【００１９】
図３Ａ及び図３Ｂは、移動端末２２の実施形態を示す図である。移動端末２２は、アルファベットのキーパッド５４と、オプションの操作用コントローラとを有する。操作用コントローラとは、ジョイスティックコントローラ５６やマルチ方向／多機能制御ボタン５８のようなものを示す。図２に示す移動端末２２のＰＴＴプロセッサ５２は、ユーザ入力に応じてグループセッションを開始し、表示装置４２上でユーザに表示されたメニューを介してアクセスされる。キーパッド５４又はジョイスティックコントローラ５６は、所望のＰＴＴオプションを選択するために、メニューを介する操作に使用される。図３Ａに示すように、ＰＴＴメニューは、インスタントグループセッションのオプションや、チャットグループセッションのオプション、そしてローカルな特定グループセッションのオプションのような多数のＰＴＴオプションを含む。さらに、１つ又はそれ以上のＰＴＴメニュー項目は、図３Ｂに示すように、表示装置４２上に表示されうる１つ又はそれ以上のオプションのサブメニューを含んでもよい。グループセッションを要求するために、ユーザは、入力デバイス５０を用いて表示された１つ又は複数のメニューから所望の１つ又は複数のＰＴＴオプションを選択することにより、ＰＴＴプロセッサ５２を起動する。例えば、ユーザは、図３Ａに示すＰＴＴメニューに到達するために複数のメニューを介して操作してもよい。ローカルな特定グループセッションのオプションを選択した後に、１つ又はそれ以上のローカル特定グループのサブメニューが図３Ｂに示す表示装置４２上に表示される。サブメニューの一例としては、図３Ｂに示すように、興味のあるテーマを含むことができる。サブメニューの他の例としては、ユーザがローカルエリアの範囲を定義することを可能とするようにしてもよい。ローカルエリアの範囲は、「半径５マイル」、「半径１０マイル」など距離で表示されるようにしてもよい。ローカルエリアの範囲指定の代替方法として、「ローカルセル」、「都市」などのような地理的な言葉で定義してもよい。当業者には、ユーザが複数のサブメニューから複数のオプションを指定するようにサブメニューを用意してもよいということが理解されるであろう。例えば、ユーザは、半径５マイル以内の交通情報を得ようと、ローカル特定グループを設定するために、「交通」と「半径５マイル」オプションを指定するようにしてもよい。いずれにしても、ユーザは、所望のローカルな特定グループセッションを起動するために、ローカルな特定グループセッションをＰＴＴメニューから選択し、さらに、任意選択で１つ又はそれ以上のサブメニューのオプションを用いてローカルな特定グループセッションを指定する。
【００２０】
また、本発明の他の実施形態は、ユーザが音声命令により移動端末２２の機能を選択し、実行できる音声入力機能も含むようにしてもよい。これらの実施形態によれば、ユーザはＰＴＴプロセッサにアクセスし、マイクロフォン４４に１つ又はそれ以上の音声命令を発行することによりグループセッションを起動する。また、筐体４６上における区別された制御ボタンのようなＰＴＴプロセッサ５２にアクセスする他の手段が使用されてもよいということが理解されるであろう。例えば、筐体４６は、ユーザが１つ又は複数の所望のＰＴＴオプションを選択するために操作するマルチ方向制御ボタン５８、若しくは、オプションの専用の制御ボタン（不図示）を含んでもよい。
【００２１】
いずれにしても、ユーザが所望の１つ又は複数のＰＴＴオプションを選択した後に、当該移動端末２２は勧誘移動端末となり、選択したグループセッションを確立するよう、ＰＴＴコントローラ９０に要求を送信する。移動端末２２は、インターネット技術標準化委員会によってＩＥＴＦ  ＲＦＣ  ３０５０、３２６４、３２６５、３３１１などに定められたセッション開始プロトコル（ＳＩＰ）を用いてＰＴＴコントローラ９０と通信を行う。代替方法として、移動端末２２は、例えば、オープンモバイルアソシエーション（ＯＭＡ）の標準化グループによるプッシュツートーク・オーバ・セルラー（ＰｏＣ）規格で定められたような業界標準の他のプロトコルを使用して、ＰＴＴコントローラ９０と通信を行ってもよい。ＰＴＴコントローラ９０は、以下に記載するように、選択されたＰＴＴオプションに基づき勧誘移動端末２２のためのグループセッションを確立する。グループセッションが確立されると、例えば、ユーザは、ＰＴＴ通信の送信及び受信を行うためにそれぞれでマルチ方向制御ボタン５８の押下、解放を行うことにより、グループとの通信を制御する。
【００２２】
図４は、本発明によるＰＴＴコントローラ９０の一例を示す図である。ＰＴＴコントローラ９０は、コアサーバ９２、グループサーバ９４、プレゼンスサーバ９６及びここではＰＴＴサーバとしても引用するＰｏＣサーバ９８を含む。コアサーバ９２は、インターネットプロトコル（ＩＰ）マルチメディアサブシステム（ＩＭＳ）サーバであり、中でも移動端末２２とＰｏＣサーバ９８との間のＳＩＰ（セッションイニシエーションプロトコル）信号のルーティングを実行する。特に、コアサーバ９２は、勧誘移動端末２２からの指定されたグループセッション要求を受信し、当該要求を選択された可能性のあるグループメンバーのリストとともにＰｏＣサーバ９８に転送する。
【００２３】
グループ及びリスト管理サーバ（ＧＬＭＳ）としても知られているグループサーバ９４は、種々のＰＴＴグループ、コンタクトリスト及び各移動端末２２に関連したアクセスリストの管理を実行する。各ＰＴＴグループは、上述したように、可能性のある勧誘移動端末２２で定義されたＰｏＣユーザＩＤの集合からなる。コンタクトリストは、特定グループセッションを確立するために移動端末群２２からアクセスできる一種のアドレス帳である。グループサーバ９４によって行われるコンタクトリストの管理は、移動端末２２がグループサーバ９４に保存される１つ又は複数のコンタクトリストを保存し、取り出すことを可能にするような操作を含む。
【００２４】
グループサーバ９４内のアクセスリストは、各移動端末２２におけるアクセス制限を定義する。移動端末２２は、後のグループセッションのために他の移動端末２２へのアクセスを許可、もしくは拒否するようグループサーバ９４によって保存されたアクセスリストを使用する。一般的に、アクセスリストは、拒否リストと許可リストとを含む。拒否リストは、ＰＴＴ通信を用いた移動端末２２との接続を拒否された又は、さもなければ、移動端末２２とのグループセッションに参加することを拒否された何れかの移動端末２２のリストを含む。許可リストは、ＰＴＴ通信を用いた移動端末２２との接続を許可された又は、さもなければ、移動端末２２とのグループセッションに参加することを許可された何れかの移動端末２２のリストを含む。例えば、ユーザＪは、ユーザＫとユーザＬとがユーザＪとのいかなるグループセッションにも参加することを永久に拒否すると決めるようにしてもよい。この決定を実現するために、ユーザＪは、その拒否リストにユーザＫとユーザＬとを含むように拒否リストを更新する。次に、その更新リストがグループサーバ９４に保存される。他の実施形態によれば、グループサーバ９４は、これらのリストを直接ＰｏＣサーバ９８に渡してもよい。
【００２５】
他の実施形態によるＰＴＴコントローラ９０において、グループサーバ９４とコアサーバ９２とは、直接的に情報を交換する。しかしながら、一方で、図４に示すように、グループサーバ９４とコアサーバ９２とは、プレゼンスサーバ９６を介して情報を交換してもよい。プレゼンスサーバ９６は、ＰＴＴ機能を有する移動端末２２に対応する存在情報と位置情報とを管理する。言い換えれば、プレゼンスサーバ９６はＰＴＴ機能を有する全ての移動端末２２の使用可能性と位置情報とを監視する。また、他の実施形態によれば、プレゼンスサーバ９６は、ＰＴＴ機能を有する移動端末２２に関連した存在情報や位置情報を保存するためのメモリ回路９７をさらに含む。さらに、プレゼンスサーバ９６は、選択されたエリアに現在、存在する移動端末２２の動的なリストを持つようにしてもよい。当業者には、従来から知られている手段に従って存在情報と位置情報とがＰＴＴコントローラ９０で取得されることは理解されるであろう。存在情報と位置情報とを得るために使用される方法は本発明に関係するものではなく、したがって、ここではこれ以上の記載は行わない。
【００２６】
また、プレゼンスサーバ９６は、存在情報と位置情報との管理に加えて、各勧誘移動端末２２に関連したローカルエリア２０を定義するようにしてもよい。他の実施形態によれば、プレゼンスサーバ９６は、上述したように、勧誘移動端末２２を測位するためにＧＰＳや、セルＩＤあるいは他の位置測定システムで提供される情報を使用することによって勧誘移動端末２２を取り巻くローカルエリア２０を定義できる。代替方法として、プレゼンスサーバ９６は、勧誘移動端末２２の位置情報及び勧誘移動端末２２で定義されたローカルエリア２０の少なくとも一方をメモリ９７に保存してもよい。
【００２７】
ローカルエリア２０が定義されると、プレゼンスサーバ９６は、ローカルエリア２０内に存在する移動端末２２を特定し、図１に示すローカル特定グループ２４に特定した移動端末２２をグループ化する。当業者には、プレゼンスサーバ９６が勧誘移動端末２２の予め定義されたローカルエリア２０にある移動端末２２を特定するためによく知られた技術を使用できることが理解されるであろう。他の実施形態によれば、プレゼンスサーバ９６は、ローカルエリア２０内に存在する１台又はそれ以上の移動端末２２を特定するためにＧＰＳ又は他の位置測定システムで提供される情報を使用する。代替方法として、プレゼンスサーバ９６が、同じセル及び隣接セルの少なくとも一方に存在する移動端末２２のリストをＨＬＲ８２及びＬＲ８０の少なくとも一方から取得してもよい。
【００２８】
図１のローカルエリア２０に存在する各移動端末２２に対して、プレゼンスサーバ９６は、勧誘移動端末２２とそのローカルエリア２０に存在する残りの移動端末２２とからなるローカル特定グループ２４を定義する。そのようなグループは、例えば、ローカルな特定グループセッションの確立の要求に応じるなど、要求に応じて定義されるか又は予め定義されて、メモリ９７に保存されてもよい。グループが予め定義される場合、プレゼンスサーバ９６は、時間とともにローカルエリア２０に入退出する移動端末２２を把握するために、定期的にメモリ９７に保存された予め定義されたグループデータを動的に更新する。いずれにしろ、プレゼンスサーバ９６が移動端末２２を特定することによって定義されたローカル特定グループ２４が、勧誘移動端末２２とのローカルな特定グループセッションに適している。
【００２９】
移動端末２２のグループが特定されると、コアサーバ９２は、グループセッションの確立要求とともに、移動端末２２のグループに適した特定情報をＰｏＣサーバ９８に転送する。代替方法として、ＰｏＣサーバ９８は、プレゼンスサーバ９６と直接インターフェイスを有し、当該インターフェイスを介して移動端末２２のグループの特定及び容認のやり取りをしてもよい。ＰｏＣサーバ９８は、これに応じて、各特定された移動端末２２に勧誘メッセージを送信する。次いで、ＰｏＣサーバ９８は、勧誘移動端末２２と、勧誘を受け付けた１台又はそれ以上の移動端末２２との間でＰＴＴ接続を確立し、管理する。
【００３０】
図５Ａ及び図５Ｂを参照して、従来のＰＴＴグループセッションにおける呼び出しフローの一例について説明する。図５Ａに示すように、インスタントグループセッションを確立するために、矢印１において、勧誘移動端末２２は、ＰＴＴコントローラ９０に、移動端末２２の予め定義されたグループとのインスタントグループセッションのためのインスタントグループ要求を送信する。次に、矢印２において、ＰＴＴコントローラ９０は、予め定義されたグループに登録された１台又はそれ以上の移動端末２２に勧誘メッセージを送信する。矢印３において、勧誘を受け付けた移動端末２２は、ＰＴＴコントローラ９０に応答する。これに応じて、矢印４において、ＰＴＴコントローラ９０は、勧誘移動端末２２と勧誘を受け付けた移動端末２２との間でインスタントグループセッションを確立する。さらに、矢印５において、勧誘移動端末２２と勧誘を受け付けた移動端末２２とは、標準ＰＴＴ通信プロトコルに従って通信を開始する。
【００３１】
図５Ｂに示すように、チャットグループセッションを確立するために、矢印１において、勧誘移動端末２２は、ＰＴＴコントローラ９０にチャットグループセッションのためのチャットグループ要求を送信する。次に、矢印２において、ＰＴＴコントローラ９０は、チャットグループセッションを確立する。矢印３において、勧誘移動端末２２とそのチャットに加わる移動端末２２は、標準ＰＴＴ通信プロトコルに従って通信を開始する。
【００３２】
図５Ａと図５Ｂに示されていないが、当業者には、上述したように、ＰＴＴコントローラ９０のグループサーバ９４が、保存されたアクセスリストに従って、グループを選別し、予め決定されたグループ又は特定グループを制限してもよいということが理解されるであろう。また、グループサーバ９４は、保存したアクセスリストに基づきチャットグループセッションに加わろうとする１台又はそれ以上の移動端末２２の参加を制限してもよい。
【００３３】
図６Ａ及び図６Ｂを参照して、図１に示した無線ネットワーク５でのローカルな特定グループセッションを確立するための呼び出しフローの一例について説明する。図６Ａは、トップレベルの呼び出しフローチャートを示す図である。図６Ａに示すように、矢印１において、図１で文字Ａと表記した１台の勧誘移動端末２２は、ローカルグループ要求をＰＴＴコントローラ９０に送信することにより、ローカルな特定グループセッションを開始する。通常のグループセッション要求などの要求も、例えば、勧誘移動端末２２と同じＳＩＰ信号方式プロトコルを利用する。また、他の実施形態によれば、要求は、援助や交通、天気、スポーツなど、興味のテーマを示すようにしてもよい。
【００３４】
次に、ＰＴＴコントローラ９０は、その要求を処理し、図１の文字Ｂと表記されたローカルの移動端末２２を特定する。移動端末２２−Ｂは、勧誘移動端末２２−Ａのローカルエリア２０に存在し、もし指定があれば、ユーザに特定された興味のテーマ要求を充たす。そのような移動端末２２―Ｂは、勧誘移動端末２２―Ａに前もって知られているかも知れないし、そうでないかも知れない。矢印２において、ＰＴＴコントローラ９０は、その要求を処理した後に、ＰＴＴコントローラ９０で特定された各ローカル移動端末２２―Ｂに勧誘メッセージを送信する。矢印３において、勧誘を受け付けた全ての移動端末２２―Ｂは、勧誘の受諾メッセージでＰＴＴコントローラ９０に応答する。これに応じて、矢印４において、ＰＴＴコントローラ９０は、ローカルな特定グループセッションを確立する。矢印５において、勧誘移動端末２２―Ａと勧誘を受け付けた移動端末２２―Ｂとは、標準ＰＴＴ通信プロトコルに従って通信を開始する。
【００３５】
図６Ｂは、ＰＴＴコントローラ９０内部のローカルな特定グループセッション要求の処理に関する詳細を説明する。勧誘移動端末２２―Ａからのローカルグループ要求を受信（図６Ａに示す矢印１）した後、矢印１Ａにおいて、コアサーバ９２は、勧誘移動端末２２―Ａのローカルエリア２０内に存在するローカル移動端末２２―Ｂを特定するために、プレゼンスサーバ９６にグループ構築要求を送信する。リストは、勧誘移動端末２２―Ａにはまだ知られていない移動端末２２を含んでもよい。また、リストは、上述したように、要求に応じて作られてもよいし、又はメモリ９７から読み出されてもよい。
【００３６】
次いで、矢印１Ｂにおいて、プレゼンスサーバ９６は、当該プレゼンスサーバ９６で特定されたローカル移動端末２２―Ｂの評価のため、グループサーバ９４にアクセス要求を任意選択で送信してもよい。その後、矢印１Ｃにおいて、グループサーバ９４は、１つ又はそれ以上のグループサーバへの要求を充たすローカル移動端末２２―Ｂのリストにある全ての移動端末を特定したことを示すアクセス応答を返信する。グループサーバへの要求は、メデイアタイプ制限、アクセス制御制限、ユーザによって特定された興味のテーマ制限などがある。さらに、アクセス制限がローカルな特定グループセッションに関連した新たなアクセスタイプを含むので、グループサーバ９４もまた、ローカル移動端末２２―Ｂのリストにあるローカルな特定グループセッションのアクセス要求を充たす全ての移動端末を特定したことを示すアクセス応答を返す。矢印１Ｄにおいて、プレゼンスサーバ９６は、コアサーバ９２にローカル移動端末２２−Ｂのリスとを返信する。返信リストは、グループサーバ９４の要求を充たす勧誘移動端末２２―Ａのローカルエリア内に存在する移動端末２２―Ｂを含む。次に、矢印１Ｅにおいて、コアサーバ９２は、ローカルな特定グループセッションを確立するため、ＰｏＣサーバ９８に、グループ設定要求とともにグループリストの結果を送信する。
【００３７】
本発明は、勧誘移動端末２２―Ａと、１台又はそれ以上の移動端末２２−Ｂとの間でローカルな特定グループセッションを確立するための方法及び装置を提供する。移動端末２２−Ｂとは、勧誘移動端末２２―Ａのローカルエリア２０内に存在し、勧誘移動端末にはまだ知られていない移動端末を示す。地域の当局者と同様に一般市民は、ローカルな特定グループセッションを使用することによって、情報を普及したり、援助を提供するようにしてもよい。例えば、見知らぬ町で迷子になった一人のエンドユーザが、その近くにいるその地域を良く知っている他のエンドユーザからの道案内を要求するため、ローカルな特定グループセッションを使用してもよい。さらに、地域の当局者が近くのエンドユーザに事故、あるいは、車線閉鎖や低速走行規制の新たな工事現場を知らせることができる。また、ローカルな特定グループセッションは、所定のローカルエリア２０内でスポーツや政治など共通の興味を有する複数のエンドユーザが、彼らの好きなテーマについて談話することも可能にする。したがって、ここで記載したローカルな特定グループセッションは、付加的なＰＴＴ機能に興味を持つ携帯ユーザのための有用で価値ある選択肢を提供する。
【００３８】
もちろん、本発明は、本発明の本質を逸脱することなく、ここで具体的に述べたものとは異なる方法で実現されてもよい。本発明の実施形態は、あらゆる点で説明上のものであって、制限するわけではない。さらに、目的の範囲内で、かつ、添付の特許請求の範囲と同等の範囲で行われるあらゆる変更は、その範囲内に包含されることを意味する。
【図面の簡単な説明】
【００３９】
【図１】本発明による無線ネットワークの一例を示す図である。
【図２】本発明による移動端末の一例を示す図である。
【図３】図２の移動端末におけるプッシュツートーク表示画面の一例を示す図である。
【図４】本発明によるプッシュツートークコントローラの一例を示す図である。
【図５Ａ】従来のプッシュツートークシステムによるインスタントグループセッションを確立するためのトップレベルの呼び出しフローを示す図である。
【図５Ｂ】従来のプッシュツートークシステムによるチャットグループセッションを確立するためのトップレベルの呼び出しフローを示す図である。
【図６Ａ】本発明によるローカルな特定グループセッションを確立するためのトップレベルの呼び出しフローを示す図である。
【図６Ｂ】図６Ａのプッシュツートークコントローラにおける呼び出しフローの一例を示す図である。
【図１】
2007523561.tif 000003
【図２】
2007523561.tif 000004
【図３Ａ】
2007523561.tif 000005
【図３Ｂ】
2007523561.tif 000006
【図４】
2007523561.tif 000007
【図５Ａ】
2007523561.tif 000008
【図５Ｂ】
2007523561.tif 000009
【図６Ａ】
2007523561.tif 000010
【図６Ｂ】
2007523561.tif 000011
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
勧誘移動端末（２２）とローカル移動端末（２２）との間でローカルな特定グループセッションを確立するための無線ネットワーク（５）におけるプッシュツートークコントローラ（９０）であって、
前記勧誘移動端末（２２）のローカルエリア（２０）内の前記ローカル移動端末（２２）を特定するためのプレゼンスサーバ（９６）と、
所望のローカル移動端末（２２）を特定するために、ユーザ指定のローカルエリア制限とユーザ指定のアクセス制限との少なくとも１つに基づいて前記特定されたローカル移動端末（２２）を絞り込むように構成されるグループサーバと、
前記勧誘移動端末と、前記勧誘移動端末（２２）からの要求に応じる１台又はそれ以上の前記所望のローカル移動端末（２２）との間で、前記ローカルな特定グループセッションを確立するためのプッシュツートークサーバ（９８）と
を含むことを特徴とするプッシュツートークコントローラ（９０）。
【請求項２】
前記プッシュツートークサーバ（９８）は、
１台又はそれ以上の前記所望のローカル移動端末（２２）に勧誘メッセージを送信し、
前記勧誘移動端末（２２）と、前記勧誘メッセージに応じた１台又はそれ以上の前記所望のローカル移動端末（２２）との間で、前記ローカルな特定グループセッションを確立する
ことを特徴とする請求項１に記載のプッシュツートークコントローラ（９０）。
【請求項３】
前記勧誘移動端末（２２）からの前記要求を受信し、前記プレゼンスサーバ（９６）によって特定された前記ローカル移動端末（２２）のリストを前記プッシュツートークサーバ（９８）に転送するコアサーバ（９２）を
さらに含むことを特徴とする請求項１に記載のプッシュツートークコントローラ（９０）。
【請求項４】
前記グループサーバ（９４）は、
前記所望のローカル移動端末（２２）を特定するためにユーザ指定の興味のあるテーマに基づいて前記特定されたローカル移動端末をさらに絞り込むように構成される
ことを特徴とする請求項１に記載のプッシュツートークコントローラ（９０）。
【請求項５】
前記プッシュツートークサーバ（９８）は、
各所望のローカル移動端末（２２）に勧誘メッセージを送信し、
前記勧誘移動端末（２２）と、前記勧誘メッセージに応じる１台又はそれ以上の前記所望のローカル移動端末（２２）との間で、前記ローカルな特定グループセッションを確立する
ことを特徴とする請求項４に記載のプッシュツートークコントローラ（９０）。
【請求項６】
前記ユーザ指定のローカルエリア制限は、
ユーザ指定の半径と、ユーザ指定の地理的な領域との１つを含み、
前記ユーザ指定のアクセス制限は、
ユーザ指定の許可リストと、ユーザ指定の拒否リストとの１つを含む
ことを特徴とする請求項１に記載のプッシュツートークコントローラ（９０）。
【請求項７】
前記プレゼンスサーバ（９６）は、
前記勧誘移動端末（２２）の現在の位置を決定する
ことを特徴とする請求項１に記載のプッシュツートークコントローラ（９０）。
【請求項８】
前記プレゼンスサーバ（９６）は、
前記勧誘移動端末における前記現在の位置に基づいて、前記ローカルエリア（２０）を定義する
ことを特徴とする請求項７に記載のプッシュツートークコントローラ（９０）。
【請求項９】
前記プレゼンスサーバ（９６）は、
前記勧誘移動端末（２２）から定義されたローカルエリア（２０）を受信する
ことを特徴とする請求項１に記載のプッシュツートークコントローラ（９０）。
【請求項１０】
前記プレゼンスサーバ（９６）は、
前記勧誘移動端末（２２）と同じセルの少なくとも一部分にローカル移動端末（２２）を特定することによって、該勧誘移動端末（２２）の前記ローカルエリア（２０）内で該ローカル移動端末（２２）を特定する
ことを特徴とする請求項１に記載のプッシュツートークコントローラ（９０）。
【請求項１１】
前記プレゼンスサーバ（９６）は、
前記勧誘移動端末（２２）の所定の距離内でローカル移動端末（２２）を特定することによって、該勧誘移動端末（２２）の前記ローカルエリア（２０）内で該ローカル移動端末（２２）を特定する
ことを特徴とする請求項１に記載のプッシュツートークコントローラ（９０）。
【請求項１２】
動的にグループを記憶し、前記勧誘移動端末（２２）の前記ローカルエリア（２０）内で更新されたローカル移動端末（２２）のリストを動的に記憶するメモリ（９７）を
さらに含むことを特徴とする請求項１に記載のプッシュツートークコントローラ（９０）。
【請求項１３】
勧誘移動端末（２２）とローカル移動端末（２２）との間で、無線ネットワーク（５）におけるローカルな特定グループセッションを確立するための方法であって、
前記勧誘移動端末（２２）から前記ローカルな特定グループセッションを開始するために要求を受信するステップと、
前記勧誘移動端末（２２）のローカルエリア（２０）内で、ローカル移動端末（２２）を特定するステップと、
所望のローカル移動端末（２２）を特定するために、ユーザ指定のローカルエリア制限とユーザ指定のアクセス制限との少なくとも１つに基づいて前記特定されたローカル移動端末（２２）を絞り込むステップと、
前記勧誘移動端末（２２）と１台又はそれ以上の前記所望のローカル移動端末（２２）との間で、前記ローカルな特定グループセッションを特定するステップと
を含むことを特徴とする方法。
【請求項１４】
前記ローカルな特定グループセッションを確立するステップは、
前記勧誘移動端末（２２）の前記ローカルエリア（２０）内で、前記所望のローカル移動端末（２２）に勧誘メッセージを送信するステップと、
前記勧誘移動端末（２２）と、前記勧誘メッセージに応じる１台又はそれ以上の前記所望のローカル移動端末（２２）との間で、前記ローカルな特定グループセッションを確立するステップを
含むことを特徴とする請求項１３に記載の方法。
【請求項１５】
メディアタイプ制限及びアクセス制御制限の少なくとも１つに基づいて、前記勧誘移動端末（２２）の前記ローカルエリア（２０）内でローカル移動端末（２２）のリストを絞り込むことによって、所望のローカル移動端末（２２）を特定するステップを
さらに含むことを特徴とする請求項１３に記載の方法。
【請求項１６】
前記ローカルな特定グループセッションを確立するステップは、
１台又はそれ以上の前記所望のローカル移動端末（２２）に勧誘メッセージを送信するステップと、
前記勧誘移動端末（２２）と前記勧誘メッセージに応じる前記所望のローカル移動端末（２２）との間で、ローカルな特定グループセッションを確立するステップと
を含むことを特徴とする請求項１５に記載の方法。
【請求項１７】
前記ユーザ指定のローカルエリア制限は、
ユーザ指定の半径と、ユーザ指定の地理的な領域との１つを含み、
前記ユーザ指定のアクセス制限は、
ユーザ指定の許可リストと、ユーザ指定の拒否リストとの１つを含む
ことを特徴とする請求項１３に記載の方法。
【請求項１８】
前記勧誘移動端末（２２）のローカルエリア（２０）内でローカル移動端末（２２）を特定するステップは、
前記勧誘移動端末（２２）を含む少なくとも一部の基地局のセルにおける範囲内に位置するローカル移動端末（２２）を特定するステップを
含むことを特徴とする請求項１３に記載の方法。
【請求項１９】
前記勧誘移動端末（２２）のローカルエリア（２０）内でローカル移動端末（２２）を特定するステップは、
前記勧誘移動端末（２２）の所定の距離内に位置するローカル移動端末（２２）を特定するステップを
含むことを特徴とする請求項１３に記載の方法。
【請求項２０】
前記勧誘移動端末（２２）の１つ又はそれ以上のローカルエリア（２０）内に位置するローカル移動端末（２２）のグループを記憶及び動的に更新するステップを
さらに含むことを特徴とする請求項１３に記載の方法。
【請求項２１】
無線ネットワーク（５）における移動端末（２２）であって、
前記無線ネットワーク（５）に信号を送信及び受信するための送受信機（３２）と、
前記勧誘移動端末（２２）と、ユーザの入力に応じて該勧誘移動端末（２２）のローカルエリア（２０）内で１台又はそれ以上の所望のローカル移動端末（２２）との間で、ローカルな特定グループセッションを開始するためのプッシュツートークプロセッサ（５２）とを含み、
前記所望のローカル移動端末（２２）は、
ユーザ指定のローカルエリア制限と、ユーザ指定のアクセス制限との少なくとも１つに基づいて絞り込まれた前記ローカルエリア（２０）内に位置する１台又はそれ以上のローカル移動端末（２２）を含む
ことを特徴とする移動端末（２２）。
【請求項２２】
表示装置（４２）と、
前記表示装置（４２）に表示されるメニューシステムとをさらに含み、
ユーザによってメニューからローカル特定グループのオプションが選択されることにより、前記ローカルな特定グループセッションが要求されることを特徴とする請求項２１に記載の移動端末（２２）。
【請求項２３】
前記メニューシステムは、
興味のあるテーマを選択するための前記ローカル特定グループのオプションに関連するサブメニューを
含むことを特徴とする請求項２１に記載の移動端末（２２）。
【請求項２４】
前記ローカルエリア（２０）を定義するための前記ローカル特定グループのオプションに観点するサブメニューを含むことを特徴とする請求項２１に記載の移動端末（２２）。
【請求項２５】
前記ユーザによって前記ローカルな特定グループセッションを要求するための前記移動端末（２２）の筐体（４６）の外部に配置されたマルチ方向制御ボタン（５８）をさらに含むことを特徴とする請求項２１に記載の移動端末（２２）。
【請求項２６】
前記勧誘移動端末（２２）の現状の位置情報を決定するためのロケーションプロセッサをさらに含むことを特徴とする請求項２１に記載の移動端末（２２）。
【請求項２７】
前記ロケーションプロセッサ（３７）は、
前記勧誘移動端末（２２）の現状の位置に基づいて前記ローカルエリア（２０）を定義する
ことを特徴とする請求項２６に記載の移動端末（２２）。
【請求項２８】
勧誘移動端末（２２）でローカルな特定グループセッションを開始する方法であって、
前記勧誘移動端末（２２）のユーザによってローカルな特定グループセッションを開始するステップと、
前記勧誘移動端末（２２）のローカルエリア（２０）内で所望のローカル移動端末（２２）を特定するために、ユーザ指定のローカルエリア制限とユーザ指定のアクセス制限との少なくとも１つに基づいて、前記ローカルエリア（２０）内に位置する移動端末（２２）のリストを絞り込むステップと、
前記勧誘移動端末（２２）と、前記ユーザの指示に応じて１台又はそれ以上の所望のローカル移動端末（２２）との間で、ローカルな特定グループセッションを確立するためにナットワークのプッシュツートーク制御装置（９０）に要求を送信するステップと
を含むことを特徴とする方法。
【請求項２９】
前記勧誘移動端末（２２）の前記ユーザによって前記ローカルな特定グループセッションを開始するステップは、
前記勧誘移動端末（２２）に関連するメニューからローカル特定グループのオプションを選択するステップを
含むことを特徴とする請求項２８に記載の方法。
【請求項３０】
前記勧誘移動端末（２２）の前記ユーザによって前記ローカルな特定グループセッションを開始するステップは、
前記勧誘移動端末（２２）の筐体（４６）の外部に配置されたマルチ方向制御ボタン（５８）を作動させるステップを
含むことを特徴とする請求項２８に記載の方法。
【請求項３１】
前記勧誘移動端末（２２）の前記ユーザによって前記ローカルな特定グループセッションを開始するステップは、
前記勧誘移動端末（２２）にプッシュツートークの音声命令を供給するステップを
含むことを特徴とする請求項２８に記載の方法。
【請求項３２】
興味のあるテーマを選択するステップと、
前記勧誘移動端末（２２）と前記興味のあるテーマに基づく１台又はそれ以上のローカル移動端末（２２）との間で、前記ローカルな特定グループセッションを開始するステップと
さらに含むことを特徴とする請求項２８に記載の方法。
【請求項３３】
前記勧誘移動端末（２２）の前記ローカルエリア（２０）を定義するステップをさらに含むことを特徴とする請求項２８に記載の方法。
【請求項３４】
前記勧誘移動端末（２２）の前記ローカルエリア（２０）を定義するステップは、
前記勧誘移動端末（２２）に含まれる少なくとも一部の基地局におけるセル内のエリアとして、前記ローカルエリア（２０）を定義するステップを
含むことを特徴とする請求項３３に記載の方法。
【請求項３５】
前記勧誘移動端末（２２）の前記ローカルエリア（２０）を定義するステップは、
前記勧誘移動端末（２２）から所定の距離で前記ローカルエリア（２０）を定義するステップを
含むことを特徴とする請求項３３に記載の方法。
【請求項３６】
前記ユーザ指定のアクセス制限は、
ユーザ指定の許可リストとユーザ指定の拒否リストとの１つを
含むことを特徴とする請求項３３に記載の方法。
【国際調査報告】
2007523561.tif 000012
2007523561.tif 000013
2007523561.tif 000014